(57)【要約】【課題】無線基地局ｅＮＢの間の回線遅延を最小限に抑えつつ、ＲＬＣ-ＳＮの管理やＲｅｏｒｄｅｒｉｎｇ制御を容易にする。【解決手段】本発明に係る移動通信システムでは、無線基地局ｅＮＢ＃１は、無線基地局ｅＮＢ＃１配下のセル及び無線基地局ｅＮＢ＃１１配下のセルを介したＣＡで用いられるＲＬＣ-ＳＮを管理する管理部１１と、かかるＣＡ用のＲＬＣ-ＳＤＵに対してＲＬＣ-ＳＮを付与してＲＬＣ-ＰＤＵを生成する生成部１３と、生成されたＲＬＣ-ＰＤＵ及びベアラ（或いは、ＲＬＣ-ＰＤＵ）の識別子を無線基地局ｅＮＢ＃１１に送信する送信部１４とを具備し、無線基地局ｅＮＢ＃１１は、無線基地局ｅＮＢ＃１１配下のセルにおける無線品質に応じて、無線基地局ｅＮＢ＃１から受信したＲＬＣ-ＰＤＵに対して再セグメント処理及びコンカテネイト処理を行った後に、ＲＬＣ-ＰＤＵを移動局ＵＥに対して送信する送信部２２を具備する。【選択図】図１
2014158159.tif 000002
【特許請求の範囲】
【請求項１】
第１無線基地局及び第２無線基地局を具備する移動通信システムであって、
前記第１無線基地局は、
前記第１無線基地局配下のセル及び前記第２無線基地局配下のセルを介して移動局に対して下りリンクデータを送信する下りキャリアアグリゲーションで用いられるＲＬＣシーケンス番号を管理するように構成されている管理部と、
前記下りキャリアアグリゲーション用のＲＬＣ-ＳＤＵに対して前記ＲＬＣレイヤのシーケンス番号を付与してＲＬＣ-ＰＤＵを生成するように構成されている生成部と、
生成された前記ＲＬＣ-ＰＤＵとベアラ又は該ＲＬＣ-ＰＤＵの識別子とを前記第２無線基地局に送信するように構成されている送信部とを具備しており、
前記第２無線基地局は、
前記第２無線基地局配下のセルにおける無線品質に応じて、前記第１無線基地局から受信した前記ＲＬＣ-ＰＤＵに対して再セグメント処理及びコンカテネイト処理を行った後に、該ＲＬＣ-ＰＤＵを前記移動局に対して送信するように構成されている送信部を具備することを特徴とする移動通信システム。
【請求項２】
第１無線基地局及び第２無線基地局を具備する移動通信システムであって、
前記第１無線基地局は、
前記第１無線基地局配下のセル及び前記第２無線基地局配下のセルを介して移動局に対して下りリンクデータを送信する下りキャリアアグリゲーションで用いられるＲＬＣシーケンス番号を管理するように構成されている管理部と、
前記下りキャリアアグリゲーション用のＲＬＣ-ＳＤＵと前記ＲＬＣシーケンス番号とベアラ又は該ＲＬＣ-ＰＤＵの識別子とを前記第２無線基地局に対して送信するように構成されている送信部とを具備しており、
前記第２無線基地局は、
前記ＲＬＣシーケンス番号を前記下りキャリアアグリゲーション用のＲＬＣ-ＳＤＵに付与してＲＬＣ-ＰＤＵを生成するように構成されている生成部と、
前記第２無線基地局配下のセルにおける無線品質に応じて、生成された前記ＲＬＣ-ＰＤＵに対してセグメント処理及びコンカテネイト処理を行った後に、該ＲＬＣ-ＰＤＵを前記移動局に対して送信するように構成されている送信部とを具備することを特徴とする移動通信システム。
【請求項３】
第１無線基地局及び第２無線基地局を具備する移動通信システムであって、
前記第１無線基地局は、
前記第１無線基地局配下のセル及び前記第２無線基地局配下のセルを介して移動局に対して下りリンクデータを送信する下りキャリアアグリゲーションで用いられるＲＬＣシーケンス番号を管理するように構成されている管理部と、
前記下りキャリアアグリゲーションが行われている場合に、前記第２無線基地局に対して、予め所定数のＲＬＣシーケンス番号とベアラ又は該ＲＬＣ-ＰＤＵの識別子とを送信するように構成されている送信部とを具備しており、
前記第２無線基地局は、
前記所定数のＲＬＣシーケンス番号の１つを前記下りキャリアアグリゲーション用のＲＬＣ-ＳＤＵに付与してＲＬＣ-ＰＤＵを生成するように構成されている生成部と、
前記第２無線基地局配下のセルにおける無線品質に応じて、生成された前記ＲＬＣ-ＰＤＵに対してセグメント処理及びコンカテネイト処理を行った後に、該ＲＬＣ-ＰＤＵを前記移動局に対して送信するように構成されている送信部とを具備することを特徴とする移動通信システム。
【請求項４】
前記送信部は、送信すべき前記下りキャリアアグリゲーション用のＲＬＣ-ＳＤＵが存在しない場合に、その旨を前記第１無線基地局に対して通知するように構成されていることを特徴とする請求項３に記載の移動通信システム。
【請求項５】
前記移動局は、前記第１無線基地局及び前記第２無線基地局に対して、ＲＬＣステータスレポートを送信するように構成されていることを特徴とする請求項１乃至４のいずれか一項に記載の移動通信システム。
【請求項６】
前記移動局は、前記第１無線基地局に対して、ＲＬＣステータスレポートを送信するように構成されており、
前記第１無線基地局は、前記第２無線基地局に対して、前記ＲＬＣステータスレポートを転送するように構成されていることを特徴とする請求項１乃至４のいずれか一項に記載の移動通信システム。
【請求項７】
前記移動局は、任意の無線基地局に対して、ＲＬＣステータスレポートを送信するように構成されており、
前記任意の無線基地局は、前記第１無線基地局に対して、前記ＲＬＣステータスレポートを転送するように構成されており、
前記第１無線基地局は、前記第２無線基地局に対して、前記ＲＬＣステータスレポートを転送するように構成されていることを特徴とする請求項１乃至４のいずれか一項に記載の移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、図１１（ａ）に示すように、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｅＮＢ  ＣＡ」の導入が検討されている（図１１（ｂ）参照）。
【０００４】
例えば、「Ｉｎｔｅｒ-ｅＮＢ  ＣＡ」を用いて、図１１（ｂ）に示すように、信頼性の必要なＣ-ｐｌａｎｅ信号については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要なＵ-ｐｌａｎｅ信号については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる。
【先行技術文献】
【非特許文献】
【０００５】
【非特許文献１】３ＧＰＰ  ＴＳ３６.３００
【発明の概要】
【発明が解決しようとする課題】
【０００６】
図１２（ａ）に、「Ｉｎｔｒａ-ｅＮＢ  ＣＡ」を行うために必要なプロコトルスタックについて示す。
【０００７】
ここで、「Ｉｎｔｅｒ-ｅＮＢ  ＣＡ」を行う場合に、図１２（ｂ）に示すように、「Ｉｎｔｒａ-ｅＮＢ  ＣＡ」を行う際と同様に、単一のＲＬＣ（Ｒａｄｉｏ  Ｌｉｎｋ  Ｃｏｎｔｒｏｌ）レイヤ機能を用いると、無線基地局ｅＮＢ＃１と無線基地局ｅＮＢ＃１０との間の回線遅延により、かかるＲＬＣレイヤ機能が、無線基地局ｅＮＢ＃１０のＭＡＣ（Ｍｅｄｉａ  Ａｃｃｅｓｓ  Ｃｏｎｔｒｏｌ）レイヤ機能から、最適なＴＢＳ（Ｔｒａｎｓｐｏｒｔ  Ｂｌｏｃｋ  Ｓｉｚｅ）を動的に得ることができず、要求遅延を満たすことができないという問題点があった。
【０００８】
一方、「Ｉｎｔｅｒ-ｅＮＢ  ＣＡ」を行う場合に、図１２（ｃ）に示すように、セル（ＣＣ）ごとにＲＬＣレイヤ機能を設けた場合、各ＲＬＣレイヤ機能におけるＲＬＣ-ＳＮ（Ｓｅｑｕｅｎｃｅ  Ｎｕｍｂｅｒ）の管理やＲｅｏｒｄｅｒｉｎｇ制御が困難になるという問題点があった。
【０００９】
そこで、本発明は、上述の課題に鑑みてなされたものであり、無線基地局ｅＮＢ＃１と無線基地局ｅＮＢ＃１１との間の回線遅延を最小限に抑えつつ、ＲＬＣレイヤ機能におけるＲＬＣ-ＳＮの管理やＲｅｏｒｄｅｒｉｎｇ制御を容易にすることができる移動通信システムを提供することを目的とする。
【課題を解決するための手段】
【００１０】
本発明の第１の特徴は、第１無線基地局及び第２無線基地局を具備する移動通信システムであって、前記第１無線基地局は、前記第１無線基地局配下のセル及び前記第２無線基地局配下のセルを介して移動局に対して下りリンクデータを送信する下りキャリアアグリゲーションで用いられるＲＬＣシーケンス番号を管理するように構成されている管理部と、前記下りキャリアアグリゲーション用のＲＬＣ-ＳＤＵに対して前記ＲＬＣレイヤのシーケンス番号を付与してＲＬＣ-ＰＤＵを生成するように構成されている生成部と、生成された前記ＲＬＣ-ＰＤＵを前記第２無線基地局に送信するように構成されている送信部とを具備しており、前記第２無線基地局は、前記第２無線基地局配下のセルにおける無線品質に応じて、前記第１無線基地局から受信した前記ＲＬＣ-ＰＤＵに対して再セグメント処理及びコンカテネイト処理を行った後に、該ＲＬＣ-ＰＤＵを前記移動局に対して送信するように構成されている送信部を具備することを要旨とする。
【００１１】
本発明の第２の特徴は、第１無線基地局及び第２無線基地局を具備する移動通信システムであって、前記第１無線基地局は、前記第１無線基地局配下のセル及び前記第２無線基地局配下のセルを介して移動局に対して下りリンクデータを送信する下りキャリアアグリゲーションで用いられるＲＬＣシーケンス番号を管理するように構成されている管理部と、前記下りキャリアアグリゲーション用のＲＬＣ-ＳＤＵ及び前記ＲＬＣシーケンス番号を前記第２無線基地局に対して送信するように構成されている送信部とを具備しており、前記第２無線基地局は、前記ＲＬＣシーケンス番号を前記下りキャリアアグリゲーション用のＲＬＣ-ＳＤＵに付与してＲＬＣ-ＰＤＵを生成するように構成されている生成部と、前記第２無線基地局配下のセルにおける無線品質に応じて、生成された前記ＲＬＣ-ＰＤＵに対してセグメント処理及びコンカテネイト処理を行った後に、該ＲＬＣ-ＰＤＵを前記移動局に対して送信するように構成されている送信部とを具備することを要旨とする。
【００１２】
本発明の第３の特徴は、第１無線基地局及び第２無線基地局を具備する移動通信システムであって、前記第１無線基地局は、前記第１無線基地局配下のセル及び前記第２無線基地局配下のセルを介して移動局に対して下りリンクデータを送信する下りキャリアアグリゲーションで用いられるＲＬＣシーケンス番号を管理するように構成されている管理部と、前記下りキャリアアグリゲーションが行われている場合に、前記第２無線基地局に対して、所定数のＲＬＣシーケンス番号を送信するように構成されている送信部とを具備しており、前記第２無線基地局は、前記所定数のＲＬＣシーケンス番号の１つを前記下りキャリアアグリゲーション用のＲＬＣ-ＳＤＵに付与してＲＬＣ-ＰＤＵを生成するように構成されている生成部と、前記第２無線基地局配下のセルにおける無線品質に応じて、生成された前記ＲＬＣ-ＰＤＵに対してセグメント処理及びコンカテネイト処理を行った後に、該ＲＬＣ-ＰＤＵを前記移動局に対して送信するように構成されている送信部とを具備することを要旨とする。
【発明の効果】
【００１３】
以上説明したように、本発明によれば、無線基地局ｅＮＢ＃１と無線基地局ｅＮＢ＃１１との間の回線遅延を最小限に抑えつつ、ＲＬＣレイヤ機能におけるＲＬＣ-ＳＮの管理やＲｅｏｒｄｅｒｉｎｇ制御を容易にすることができる移動通信システムを提供することができる。
【図面の簡単な説明】
【００１４】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る無線基地局ｅＮＢ＃１１/＃１２の機能ブロック図である。
【図４】本発明の第１の実施形態に係る無線基地局ｅＮＢ＃１１/＃１２の送信制御を説明するための図である。
【図５】本発明の第１の実施形態に係る移動通信システムにおけるＲＬＣ  ｓｔａｔｕｓ  ｒｅｐｏｒｔの送信方法の一例を説明するための図である。
【図６】本発明の第１の実施形態に係る移動通信システムにおけるＲＬＣ  ｓｔａｔｕｓ  ｒｅｐｏｒｔの送信方法の一例を説明するための図である。
【図７】本発明の第１の実施形態に係る移動通信システムにおけるＲＬＣ  ｓｔａｔｕｓ  ｒｅｐｏｒｔの送信方法の一例を説明するための図である。
【図８】本発明の第１の実施形態に係る無線基地局ｅＮＢ＃１の動作を示すシーケンスである。
【図９】本発明の変更例１に係る移動通信システムの全体構成図である。
【図１０】本発明の変更例２に係る移動通信システムの全体構成図である。
【図１１】従来技術を説明するための図である。
【図１２】従来技術を説明するための図である。
【発明を実施するための形態】
【００１５】
（本発明の第１の実施形態に係る移動通信システム）
図１乃至図８を参照して、本発明の第１の実施形態に係る移動通信システムについて説明する。
【００１６】
図１に示すように、本実施形態に係る移動通信システムは、セル＃１（図示せず）を管理する無線基地局ｅＮＢ＃１と、セル＃１１（図示せず）を管理する無線基地局ｅＮＢ＃１１と、セル＃１２（図示せず）を管理する無線基地局ｅＮＢ＃１２とを具備している。
【００１７】
ここで、セル＃１１及びセル＃１２は、スモールセル（ファントムセル）であり、セル＃１は、マクロセルである。なお、セル＃１１及びセル＃１２のカバレッジエリアと、セル＃１のカバレッジエリアのカバレッジエリアとは、少なくとも一部で重なるように配置されている。
【００１８】
なお、無線基地局ｅＮＢ＃１は、マクロ無線基地局（Ｍａｃｒｏ-ｅＮＢ）と呼ばれてもよく、無線基地局ｅＮＢ＃１１/＃１２は、スモール無線基地局（Ｓｍａｌｌ-ｅＮＢ）やファントム無線基地局（Ｐｈａｎｔｏｍ-ｅＮＢ）と呼ばれてもよい。
【００１９】
また、本実施形態に係る移動通信システムは、ＬＴＥ方式の移動通信システムであって、かかる本実施形態に係る移動通信システムにおいて、移動局ＵＥは、「Ｉｎｔｅｒ-ｅＮＢ  ＣＡ」を行うことができるように構成されている。
【００２０】
すなわち、本実施形態に係る移動通信システムでは、移動局ＵＥは、無線基地局ｅＮＢ＃１配下のセル＃１及び無線基地局ｅＮＢ＃１１/＃１２配下のセル＃１１/＃１２を介して「Ｉｎｔｅｒ-ｅＮＢ  ＣＡ」を行うことができるように構成されている。
【００２１】
本実施形態に係る移動通信システムでは、図１に示すように、無線基地局ｅＮＢ＃１は、アンカー無線基地局（Ａｎｃｈｏｒ-ｅＮＢ）として機能するように構成されており、「Ｍａｓｔｅｒ-ＲＬＣレイヤ機能」を具備している。
【００２２】
一方、無線基地局ｅＮＢ＃１１/＃１２は、「Ｓｌａｖｅ-ＲＬＣレイヤ機能」を具備している。
【００２３】
すなわち、本実施形態に係る移動通信システムでは、ＲＬＣレイヤ機能が、「Ｍａｓｔｅｒ-ＲＬＣレイヤ機能」及び「Ｓｌａｖｅ-ＲＬＣレイヤ機能」として、無線基地局ｅＮＢ＃１及び無線基地局ｅＮＢ＃１１/＃１２に分散されて配置されるように構成されている。
【００２４】
図２に示すように、無線基地局ｅＮＢ＃１は、「Ｍａｓｔｅｒ-ＲＬＣレイヤ機能」として、管理部１１と、受信部１２と、生成部１３と、送信部１４とを具備している。
【００２５】
管理部１１は、上述の移動局ＵＥによる「Ｉｎｔｅｒ-ｅＮＢ  ＣＡ」で用いられるＲＬＣ-ＳＮを管理するように構成されている。
【００２６】
受信部１２は、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能から、かかる「Ｉｎｔｅｒ-ｅＮＢ  ＣＡ」用のＲＬＣ-ＳＤＵ（Ｓｅｒｖｉｃｅ  Ｄａｔａ  Ｕｎｉｔ）を受信するように構成されている。
【００２７】
なお、受信部１２は、移動局ＵＥによって送信された「ＲＬＣ  ｓｔａｔｕｓ  ｒｅｐｏｒｔ」を受信するように構成されていてもよい。
【００２８】
生成部１３は、受信部１２によって受信されたＲＬＣ-ＳＤＵに対して、管理部１１によって払い出されたＲＬＣ-ＳＮを付与して、ＲＬＣ-ＰＤＵを生成するように構成されている。
【００２９】
送信部１４は、生成部１３によって生成されたＲＬＣ-ＰＤＵ及び該当するベアラ（或いは、ＲＬＣ-ＰＤＵ）の識別子を、無線基地局ｅＮＢ＃１１/＃１２の「Ｓｌａｖｅ-ＲＬＣレイヤ機能」に送信するように構成されている。
【００３０】
具体的には、送信部１４は、所定のＴＢＳを想定して、かかるＲＬＣ-ＰＤＵを生成するように構成されている。
【００３１】
ここで、送信部１４は、無線基地局ｅＮＢ＃１１/＃１２配下のセル＃１１/＃１２における無線品質に基づいて、所定のＴＢＳを推定するように構成されていてもよい。かかる無線品質は、平均化された値でもよいし、瞬時の値に基づいていてもよい。
【００３２】
また、送信部１４は、無線基地局ｅＮＢ＃１１/＃１２配下のセル＃１１/＃１２における実際の無線品質に基づいて、無線基地局ｅＮＢ＃１１/＃１２の「Ｓｌａｖｅ-ＲＬＣレイヤ機能」に対して送信するＲＬＣ-ＰＤＵの数を決定するように構成されていてもよい。
【００３３】
なお、送信部１４は、生成部１３によって生成されるＲＬＣ-ＰＤＵに対するＲｅｏｒｄｅｒｉｎｇ制御を行うように構成されている。
【００３４】
図３に示すように、無線基地局ｅＮＢ＃１１/＃１２は、「Ｓｌａｖｅ-ＲＬＣレイヤ機能」として、受信部２１と、送信部２２とを具備している。
【００３５】
受信部２１は、無線基地局ｅＮＢ＃１の「Ｍａｓｔｅｒ-ＲＬＣレイヤ機能」によって送信されたＲＬＣ-ＰＤＵを受信するように構成されている。
【００３６】
送信部２２は、無線基地局ｅＮＢ＃１１/＃１２配下のセルにおける無線品質に応じて、受信部２１によって受信されたＲＬＣ-ＰＤＵに対して再セグメント処理及びコンカテネイト処理を行った後に、かかるＲＬＣ-ＰＤＵを移動局ＵＥ（具体的には、ＭＡＣレイヤ機能）に対して送信するように構成されている。  
具体的には、送信部２２は、無線基地局ｅＮＢ＃１１/＃１２配下のセルにおける実際の無線品質に応じて、ＴＢＳを決定するように構成されていてもよい。
【００３７】
ここで、受信部２１によって受信されたＲＬＣ-ＰＤＵが、決定されたＴＢＳよりも小さい場合、図４（ａ）に示すように、送信部２２は、かかるＲＬＣ-ＰＤＵを、ＭＡＣレイヤのトランスポートブロックに丸ごと格納するように構成されている。なお、ＲＬＣ-ＰＤＵのサイズがトランスポートブロックよりも小さい場合には、余剰部分にパディングを行ってもよい。
【００３８】
また、受信部２１によって受信されたＲＬＣ-ＰＤＵが、決定されたＴＢＳよりも大きい場合、図４（ｂ）に示すように、送信部２２は、かかるＲＬＣ-ＰＤＵに対して再セグメント処理（ｒｅ-ｓｅｇｍｅｎｔ）を施した後、ＭＡＣレイヤのトランスポートブロックに格納するように構成されている。
【００３９】
さらに、送信部２２は、複数のＲＬＣ-ＰＤＵを１つのＭＡＣレイヤのトランスポートブロックに格納することを試みたが、複数のＲＬＣ-ＰＤＵの一部を当該ＭＡＣレイヤのトランスポートブロックに格納することができない場合、図４（ｃ）に示すように、かかるＲＬＣ-ＰＤＵに対して再セグメント処理（ｒｅ-ｓｅｇｍｅｎｔ）を施した後、ＭＡＣレイヤのトランスポートブロックに格納するように構成されている。
【００４０】
送信部２２は、複数のベアラからＲＬＣ-ＰＤＵを受信する場合には、所定優先度に基づいて移動局ＵＥへの送信（ＭＡＣ-ＰＤＵ化）を行うように構成されていてもよい。ない、かかる所定優先度は、「Ｍａｓｔｅｒ-ＲＬＣレイヤ機能」から通知されてもよい。
【００４１】
なお、移動局ＵＥは、図５に示すように、無線基地局ｅＮＢ＃１及び無線基地局ｅＮＢ＃１１/＃１２の両者に対して、無線基地局ｅＮＢ＃１１/＃１２によって送信されたＲＬＣ-ＰＤＵに対する「ＲＬＣ  ｓｔａｔｕｓ  ｒｅｐｏｒｔ」を送信するように構成されていてもよい。
【００４２】
ここで、無線基地局ｅＮＢ＃１及び無線基地局ｅＮＢ＃１１/＃１２の各々は、自律的にＲＬＣ再送処理を行うように構成されていてもよい。
【００４３】
或いは、移動局ＵＥは、図６に示すように、無線基地局ｅＮＢ＃１に対して、無線基地局ｅＮＢ＃１１/＃１２によって送信されたＲＬＣ-ＰＤＵに対する「ＲＬＣ  ｓｔａｔｕｓ  ｒｅｐｏｒｔ」を送信するように構成されており、無線基地局ｅＮＢ＃１の送信部１４は、無線基地局ｅＮＢ＃１１/＃１２に対して、かかる「ＲＬＣ  ｓｔａｔｕｓ  ｒｅｐｏｒｔ（ＡＣＫ/ＮＡＣＫ情報）」を転送するように構成されていてもよい。
【００４４】
ここで、無線基地局ｅＮＢ＃１の送信部１４は、「ＮＡＣＫ」が送信されたＲＬＣ-ＰＤＵについて、再度、無線基地局ｅＮＢ＃１１/＃１２に対して送信するように構成されていてもよい。
【００４５】
或いは、「ＮＡＣＫ」が送信されたＲＬＣ-ＰＤＵに対するＲＬＣ再送処理は、無線基地局ｅＮＢ＃１の送信部１４によって行われるように構成されていてもよいし、無線品質の良いセルを管理する無線基地局ｅＮＢによって行われるように構成されていてもよい。
【００４６】
このように、初送（或いは、前回の送信）を行った無線基地局ｅＮＢ＃１１/＃１２と異なる無線基地局ｅＮＢによってＲＬＣ再送処理が行われた場合には、かかる無線基地局ｅＮＢは、初送（或いは、前回の送信）を行った無線基地局ｅＮＢ＃１１/＃１２に対して、かかるＲＬＣ-ＰＤＵの再送が行われた旨について通知するように構成されていてもよい。
【００４７】
或いは、移動局ＵＥは、図７に示すように、任意の無線基地局ｅＮＢ（例えば、Ｓｍａｌｌ-ｅＮＢ）に対して、「ＲＬＣ  ｓｔａｔｕｓ  ｒｅｐｏｒｔ」を送信するように構成されており、かかる任意の無線基地局（例えば、Ｓｍａｌｌ-ｅＮＢ）は、無線基地局ｅＮＢ＃１に対して、かかる「ＲＬＣ  ｓｔａｔｕｓ  ｒｅｐｏｒｔ（ＡＣＫ/ＮＡＣＫ情報）」を転送するように構成されており、無線基地局ｅＮＢ＃１の送信部１４は、無線基地局ｅＮＢ＃１１/＃１２に対して、かかる「ＲＬＣ  ｓｔａｔｕｓ  ｒｅｐｏｒｔ（ＡＣＫ/ＮＡＣＫ情報）」を転送するように構成されていてもよい。
【００４８】
ここで、無線基地局ｅＮＢ＃１１/＃１２は、「ＮＡＣＫ」が送信されたＲＬＣ-ＰＤＵに対するＲＬＣ再送処理を行うように構成されている。
【００４９】
以下、図８を参照して、本実施形態に係る移動通信システムの動作について、具体的には、実施形態に係る無線基地局ｅＮＢ＃１のＲＬＣレイヤ機能（「Ｍａｓｔｅｒ-ＲＬＣレイヤ機能」）の動作について説明する。
【００５０】
図８に示すように、ステップＳ１０１において、無線基地局ｅＮＢ＃１のＲＬＣレイヤ機能は、ＰＤＣＰレイヤ機能から受信したＲＬＣ-ＳＤＵについて、直接、移動局ＵＥに対して送信すべきか否かについて判定する。
【００５１】
「ＹＥＳ」の場合、本動作は、ステップＳ１０２に進み、「ＮＯ」の場合、本動作は、ステップＳ１０３に進む。
【００５２】
ステップＳ１０２において、無線基地局ｅＮＢ＃１のＲＬＣレイヤ機能は、ＭＡＣレイヤ機能から取得したＴＢＳに基づいてＲＬＣ-ＰＤＵを生成してＭＡＣレイヤ機能に送信する。
【００５３】
ステップＳ１０３において、無線基地局ｅＮＢ＃１のＲＬＣレイヤ機能は、無線基地局ｅＮＢ＃１１/＃１２配下のセルにおける無線品質に基づいて推定したＴＢＳに基づいてＲＬＣ-ＰＤＵを生成して無線基地局ｅＮＢ＃１１/＃１２のＲＬＣレイヤ機能（「Ｓｌａｖｅ-ＲＬＣレイヤ機能」）に送信する。
【００５４】
（変更例１）
以下、図９を参照して、本発明の変更例１に係る移動通信システムについて、上述の第１の実施形態に係る移動通信システムとの相違点に着目して説明する。
【００５５】
本変更例１に係る移動通信システムでは、無線基地局ｅＮＢ＃１の送信部１４は、上述の「Ｉｎｔｅｒ-ｅＮＢ  ＣＡ」用のＲＬＣ-ＳＤＵ及びＲＬＣ-ＳＮ及び該当するベアラ（或いは、ＲＬＣ-ＰＤＵ）の識別子を無線基地局ｅＮＢ＃１１/＃１２に対して送信するように構成されている。
【００５６】
すなわち、本変更例１に係る移動通信システムでは、無線基地局ｅＮＢ＃１の生成部１３は、ＲＬＣ-ＰＤＵを生成することなく、無線基地局ｅＮＢ＃１の送信部１４は、受信部１２によって受信されたＲＬＣ-ＳＤＵ及び管理部１１によって払い出されたＲＬＣ-ＳＮについて、無線基地局ｅＮＢ＃１１/＃１２の「Ｓｌａｖｅ-ＲＬＣレイヤ機能」に対して送信するように構成されている。
【００５７】
なお、無線基地局ｅＮＢ＃１の管理部１１は、より上位のレイヤ（例えば、ＰＤＣＰレイヤ）機能に設けられていてもよい。
【００５８】
また、無線基地局ｅＮＢ＃１１/＃１２は、図３に示すように、受信部２１及び送信部２２に加えて、生成部２３を具備するように構成されている。
【００５９】
ここで、生成部２３は、受信部２１によって受信されたＲＬＣ-ＳＮを、受信部２１によって受信されたＲＬＣ-ＳＤＵに付与して、ＲＬＣ-ＰＤＵを生成するように構成されている。
【００６０】
また、無線基地局ｅＮＢ＃１１/＃１２の送信部２２は、無線基地局ｅＮＢ＃１１/＃１２配下のセルにおける無線品質に応じて、生成部２３によって生成されたＲＬＣ-ＰＤＵに対してセグメント処理を行った後に、かかるＲＬＣ-ＰＤＵを移動局ＵＥに対して送信するように構成されている。
【００６１】
送信部２２は、複数のベアラからＲＬＣ-ＰＤＵを受信する場合には、所定優先度に基づいて移動局ＵＥへの送信（ＭＡＣ-ＰＤＵ化）を行うように構成されていてもよい。ない、かかる所定優先度は、「Ｍａｓｔｅｒ-ＲＬＣレイヤ機能」から通知されてもよい。
【００６２】
（変更例２）
以下、図１０を参照して、本発明の変更例２に係る移動通信システムについて、上述の第１の実施形態に係る移動通信システムとの相違点に着目して説明する。
【００６３】
本変更例２に係る移動通信システムでは、上述の「Ｉｎｔｅｒ-ｅＮＢ  ＣＡ」が行われている場合に、無線基地局ｅＮＢ＃１の送信部１４は、無線基地局ｅＮＢ＃１１/＃１２に対して、予め所定数のＲＬＣ-ＳＮを送信するように構成されている。
【００６４】
そして、無線基地局ｅＮＢ＃１の生成部１３は、ＲＬＣ-ＰＤＵを生成することなく、無線基地局ｅＮＢ＃１の送信部１４は、受信部１２によって受信されたＲＬＣ-ＳＤＵについて、無線基地局ｅＮＢ＃１１/＃１２の「Ｓｌａｖｅ-ＲＬＣレイヤ機能」に対して送信するように構成されている。
【００６５】
なお、無線基地局ｅＮＢ＃１の送信部１４は、所定基準に基づいて、各無線基地局ｅＮＢ＃１１/＃１２に対して割り振るべき所定数のＲＬＣ-ＳＮを調整するように構成されていてもよい。
【００６６】
また、無線基地局ｅＮＢ＃１１/＃１２は、図３に示すように、受信部２１及び送信部２２に加えて、生成部２３を具備するように構成されている。
【００６７】
ここで、生成部２３は、受信部２１によって受信された所定数のＲＬＣ-ＳＮの１つを払い出して、受信部２１によって受信されたＲＬＣ-ＳＤＵに付与して、ＲＬＣ-ＰＤＵを生成するように構成されている。
【００６８】
また、無線基地局ｅＮＢ＃１１/＃１２の送信部２２は、無線基地局ｅＮＢ＃１１/＃１２配下のセルにおける無線品質に応じて、生成部２３によって生成されたＲＬＣ-ＰＤＵに対してセグメント処理を行った後に、かかるＲＬＣ-ＰＤＵを移動局ＵＥに対して送信するように構成されている。
【００６９】
なお、無線基地局ｅＮＢ＃１１/＃１２の送信部２２は、送信すべき当該「Ｉｎｔｅｒ-ｅＮＢ  ＣＡ」用のＲＬＣ-ＳＤＵが存在しない場合に、その旨を無線基地局ｅＮＢ＃１の「Ｍａｓｔｅｒ-ＲＬＣレイヤ機能」に対して通知するように構成されていてもよい。
【００７０】
例えば、無線基地局ｅＮＢ＃１１/＃１２の送信部２２は、送信すべき当該「Ｉｎｔｅｒ-ｅＮＢ  ＣＡ」用のＲＬＣ-ＳＤＵが存在しない場合や、無線基地局ｅＮＢ＃１１/＃１２配下のセル＃１１/＃１２における無線品質が所定閾値を下回る場合に、無線基地局ｅＮＢ＃１１/＃１２に割り振っているＲＬＣ-ＳＮを別の無線基地局ｅＮＢに割り振るように構成されていてもよい。
【００７１】
以上に述べた本実施形態の特徴は、以下のように表現されていてもよい。
【００７２】
本実施形態の第１の特徴は、無線基地局ｅＮＢ＃１（第１無線基地局）及び無線基地局ｅＮＢ＃１１/＃１２（第２無線基地局）を具備する移動通信システムであって、無線基地局ｅＮＢ＃１は、無線基地局ｅＮＢ＃１配下のセル及び無線基地局ｅＮＢ＃１１/＃１２配下のセルを介して移動局ＵＥに対して下りリンクデータを送信する「Ｉｎｔｅｒ-ｅＮＢ  ＣＡ（下りキャリアアグリゲーション）」で用いられるＲＬＣ-ＳＮ（ＲＬＣシーケンス番号）を管理するように構成されている管理部１１と、かかる「Ｉｎｔｅｒ-ｅＮＢ  ＣＡ」用のＲＬＣ-ＳＤＵに対してＲＬＣ-ＳＮを付与してＲＬＣ-ＰＤＵを生成するように構成されている生成部１３と、生成されたＲＬＣ-ＰＤＵ及び該当するベアラ（或いは、ＲＬＣ-ＰＤＵ）の識別子を無線基地局ｅＮＢ＃１１/＃１２に送信するように構成されている送信部１４とを具備しており、無線基地局ｅＮＢ＃１１/＃１２は、無線基地局ｅＮＢ＃１１/＃１２配下のセルにおける無線品質に応じて、無線基地局ｅＮＢ＃１から受信したＲＬＣ-ＰＤＵに対して再セグメント処理及びコンカテネイト処理を行った後に、かかるＲＬＣ-ＰＤＵを移動局ＵＥに対して送信するように構成されている送信部２２を具備することを要旨とする。
【００７３】
かかる特徴によれば、無線基地局ｅＮＢ＃１及び無線基地局ｅＮＢ＃１１/＃１２が、ＲＬＣレイヤ機能の役割を分散して受け持つことができるため、無線基地局ｅＮＢ＃１と無線基地局ｅＮＢ＃１１/＃１２との間の回線遅延を最小限に抑えつつ、ＲＬＣ-ＳＮの管理やＲｅｏｒｄｅｒｉｎｇ制御を容易にすることができる。
【００７４】
本実施形態の第２の特徴は、無線基地局ｅＮＢ＃１及び無線基地局ｅＮＢ＃１１/＃１２を具備する移動通信システムであって、無線基地局ｅＮＢ＃１は、無線基地局ｅＮＢ＃１配下のセル及び無線基地局ｅＮＢ＃１１/＃１２配下のセルを介して移動局ＵＥに対して下りリンクデータを送信する「Ｉｎｔｅｒ-ｅＮＢ  ＣＡ」で用いられるＲＬＣ-ＳＮを管理するように構成されている管理部１１と、かかる「Ｉｎｔｅｒ-ｅＮＢ  ＣＡ」用のＲＬＣ-ＳＤＵ及びＲＬＣ-ＳＮ及び該当するベアラ（或いは、ＲＬＣ-ＰＤＵ）の識別子を無線基地局ｅＮＢ＃１１/＃１２に対して送信するように構成されている送信部１４とを具備しており、無線基地局ｅＮＢ＃１１/＃１２は、ＲＬＣ-ＳＮを当該ＣＡ用のＲＬＣ-ＳＤＵに付与してＲＬＣ-ＰＤＵを生成するように構成されている生成部２３と、無線基地局ｅＮＢ＃１１/＃１２配下のセルにおける無線品質に応じて、生成されたＲＬＣ-ＰＤＵに対してセグメント処理及びコンカテネイト処理を行った後に、かかるＲＬＣ-ＰＤＵを移動局ＵＥに対して送信するように構成されている送信部２２とを具備することを要旨とする。
【００７５】
かかる特徴によれば、無線基地局ｅＮＢ＃１及び無線基地局ｅＮＢ＃１１/＃１２が、ＲＬＣレイヤ機能の役割を分散して受け持つことができるため、無線基地局ｅＮＢ＃１と無線基地局ｅＮＢ＃１１/＃１２との間の回線遅延を最小限に抑えつつ、ＲＬＣ-ＳＮの管理やＲｅｏｒｄｅｒｉｎｇ制御を容易にすることができる。
【００７６】
本実施形態の第３の特徴は、無線基地局ｅＮＢ＃１及び無線基地局ｅＮＢ＃１１/＃１２を具備する移動通信システムであって、無線基地局ｅＮＢ＃１は、無線基地局ｅＮＢ＃１配下のセル及び無線基地局ｅＮＢ＃１１/＃１２配下のセルを介して移動局ＵＥに対して下りリンクデータを送信する「Ｉｎｔｅｒ-ｅＮＢ  ＣＡ」で用いられるＲＬＣ-ＳＮを管理するように構成されている管理部１１と、かかる「Ｉｎｔｅｒ-ｅＮＢ  ＣＡ」が行われている場合に、無線基地局ｅＮＢ＃１１/＃１２に対して、所定数のＲＬＣ-ＳＮを予め送信するように構成されている送信部１４とを具備しており、無線基地局ｅＮＢ＃１１/＃１２は、所定数のＲＬＣ-ＳＮの１つを当該「Ｉｎｔｅｒ-ｅＮＢ  ＣＡ」用のＲＬＣ-ＳＤＵに付与してＲＬＣ-ＰＤＵを生成するように構成されている生成部２３と、無線基地局ｅＮＢ＃１１/＃１２配下のセルにおける無線品質に応じて、生成されたＲＬＣ-ＰＤＵに対してセグメント処理及びコンカテネイト処理を行った後に、かかるＲＬＣ-ＰＤＵを移動局ＵＥに対して送信するように構成されている送信部２２とを具備することを要旨とする。
【００７７】
かかる特徴によれば、無線基地局ｅＮＢ＃１及び無線基地局ｅＮＢ＃１１/＃１２が、ＲＬＣレイヤ機能の役割を分散して受け持つことができるため、無線基地局ｅＮＢ＃１と無線基地局ｅＮＢ＃１１/＃１２との間の回線遅延を最小限に抑えつつ、ＲＬＣ-ＳＮの管理やＲｅｏｒｄｅｒｉｎｇ制御を容易にすることができる。
【００７８】
本実施形態の第３の特徴において、送信部２２は、送信すべき当該「Ｉｎｔｅｒ-ｅＮＢ  ＣＡ」用のＲＬＣ-ＳＤＵが存在しない場合に、その旨を無線基地局ｅＮＢ＃１に対して通知するように構成されていてもよい。
【００７９】
かかる特徴によれば、無線基地局ｅＮＢ＃１は、かかる通知に基づいて、無線基地局ｅＮＢ＃１１/＃１２に割り振っていたＲＬＣ-ＳＮを別の無線基地局ｅＮＢに割り振ることができ、ＲＬＣ-ＳＮのリソースを有効に活用することができる。
【００８０】
本実施形態の第１〜第３の特徴において、移動局ＵＥは、無線基地局ｅＮＢ＃１及び無線基地局ｅＮＢ＃１１/＃１２に対して、「ＲＬＣ  ｓｔａｔｕｓ  ｒｅｐｏｒｔ（ＲＬＣステータスレポート）」を送信するように構成されていてもよい。
【００８１】
かかる特徴によれば、「Ｉｎｔｅｒ-ｅＮＢ  ＣＡ」が行われている場合であっても、移動局ＵＥに対してＲＬＣ-ＰＤＵを送信した無線基地局ｅＮＢ＃１１/＃１２に対して「ＲＬＣ  ｓｔａｔｕｓ  ｒｅｐｏｒｔ」を届けることができる。
【００８２】
本実施形態の第１〜第３の特徴において、移動局ＵＥは、無線基地局ｅＮＢ＃１に対して、「ＲＬＣ  ｓｔａｔｕｓ  ｒｅｐｏｒｔ」を送信するように構成されており、無線基地局ｅＮＢ＃１は、無線基地局ｅＮＢ＃１１/＃１２に対して、かかる「ＲＬＣ  ｓｔａｔｕｓ  ｒｅｐｏｒｔ」を転送するように構成されていてもよい。
【００８３】
かかる特徴によれば、「Ｉｎｔｅｒ-ｅＮＢ  ＣＡ」が行われている場合であっても、移動局ＵＥに対してＲＬＣ-ＰＤＵを送信した無線基地局ｅＮＢ＃１１/＃１２に対して「ＲＬＣ  ｓｔａｔｕｓ  ｒｅｐｏｒｔ」を届けることができる。
【００８４】
本実施形態の第１〜第３の特徴において、移動局ＵＥは、任意の無線基地局ｅＮＢに対して、「ＲＬＣ  ｓｔａｔｕｓ  ｒｅｐｏｒｔ」を送信するように構成されており、かかる任意の無線基地局は、無線基地局ｅＮＢ＃１に対して、かかる「ＲＬＣ  ｓｔａｔｕｓ  ｒｅｐｏｒｔ」を転送するように構成されており、無線基地局ｅＮＢ＃１は、無線基地局ｅＮＢ＃１１/＃１２に対して、かかる「ＲＬＣ  ｓｔａｔｕｓ  ｒｅｐｏｒｔ」を転送するように構成されていてもよい。
【００８５】
かかる特徴によれば、「Ｉｎｔｅｒ-ｅＮＢ  ＣＡ」が行われている場合であっても、移動局ＵＥに対してＲＬＣ-ＰＤＵを送信した無線基地局ｅＮＢ＃１１/＃１２に対して「ＲＬＣ  ｓｔａｔｕｓ  ｒｅｐｏｒｔ」を届けることができる。
【００８６】
また、「ＲＬＣ  ｓｔａｔｕｓ  ｒｅｐｏｒｔ」を送信すべき無線基地局ｅＮＢは、いずれかの無線基地局（例えば、無線基地局ｅＮＢ＃１）から移動局ＵＥに対して指定されてもよい。
【００８７】
かかる指定の通知は、ＲＲＣレイヤやＰＤＣＰレイヤやＲＬＣレイヤやＭＡＣレイヤや物理レイヤのいかなるレイヤで行われてもよい。或いは、かかる指定の通知は、無線基地局ｅＮＢに対して「ＲＬＣ  ｓｔａｔｕｓ  ｒｅｐｏｒｔ」を送信することを決定してから、初めて（新規の）「ＵＬ  ｇｒａｎｔ」を受けたセルで送信してもよい。
【００８８】
また、上述した例では、「Ｍａｓｔｅｒ-ＲＬＣレイヤ機能」は無線基地局ｅＮＢ＃１に設置されることを言及したが、ベアラごとに「Ｍａｓｔｅｒ-ＲＬＣレイヤ機能」が設定される無線基地局ｅＮＢが異なっていてもよい。
【００８９】
なお、上述の移動局ＵＥや無線基地局ｅＮＢ＃１/ｅＮＢ＃１１/ｅＮＢ＃１２の動作は、ハードウェアによって実施されてもよいし、プロセッサによって実行されるソフトウェアモジュールによって実施されてもよいし、両者の組み合わせによって実施されてもよい。
【００９０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１/ｅＮＢ＃１２内に設けられていてもよい。また、かかる記憶媒体及びプロセッサは、ディスクリートコンポーネントとして移動局ＵＥや無線基地局ｅＮＢ＃１/ｅＮＢ＃１１/ｅＮＢ＃１２内に設けられていてもよい。
【００９２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９３】
ｅＮＢ＃１、ｅＮＢ＃１１、ｅＮＢ＃１２…無線基地局
ＵＥ…移動局
１１…管理部
１２、２１…受信部
１３、２３…生成部
１４、２２…送信部
【図１】
2014158159.tif 000003
【図２】
2014158159.tif 000004
【図３】
2014158159.tif 000005
【図４】
2014158159.tif 000006
【図５】
2014158159.tif 000007
【図６】
2014158159.tif 000008
【図７】
2014158159.tif 000009
【図８】
2014158159.tif 000010
【図９】
2014158159.tif 000011
【図１０】
2014158159.tif 000012
【図１１】
2014158159.tif 000013
【図１２】
2014158159.tif 000014